(57)【特許請求の範囲】
【請求項１】
ディスプレイに接続され予めデータ記憶部に記憶されたテキスト情報や画像情報を前記ディスプレイに出力表示する情報処理装置と、前記ディスプレイに出力表示された前記情報の一部または全体を撮影するカメラ撮影手段を有すると共に前記カメラ撮影手段により撮影された前記情報の一部又は全体の画像データを前記情報処理装置に送信する携帯端末装置とを備える情報選択取得システムであって、
前記情報処理装置が、前記ディスプレイに出力表示された前記情報の表示領域内で前記携帯端末装置から送り込まれた前記画像データと一致する情報表示領域を特定する特定手段と、前記ディスプレイに出力表示された前記情報の表示領域から前記特定された情報表示領域を切出し、この切り出された情報表示領域内に出力表示されている情報に対応したテキスト情報や画像情報を前記データ記憶部から読み出して領域選択情報として前記携帯端末装置に送信する作成送信手段とを備えたことを特徴とする情報選択取得システム。
【請求項２】
前記請求項１に記載の情報選択取得システムにおいて、
前記情報処理装置の作成送信手段が、前記作成された領域選択情報を、前記携帯端末装置に送信するのに先立って変換・加工する変換加工機能を備えたことを特徴とする情報選択取得システム。
【請求項３】
前記請求項１または２に記載の情報選択取得システムにおいて、
前記情報処理装置は、前記領域選択情報を作成する際に前記切出された情報表示領域内に出力表示されている情報に対応する情報が、画像情報、テキスト情報、又は画像及びテキストを有する情報の何れかであることを判定する判定手段を備えると共に、前記作成送信手段が、前記切出された情報表示領域内の情報が画像情報またはテキスト情報のみであると判定された場合に当該画像情報またはテキスト情報のみを読み出して領域選択情報を作成し、又、前記切出された表示領域内の情報が画像情報及びテキスト情報を有する情報であると判定された場合に当該画像情報及びテキスト情報のそれぞれを読み出して元の情報表示領域内と同じ画面構成の領域選択情報を作成する機能を備えたことを特徴とする情報選択取得システム。
【請求項４】
前記請求項１乃至３の何れか１つに記載の情報選択取得システムにおいて、
前記携帯端末装置は、前記カメラ撮影手段を介して前記ディスプレイに出力表示された前記情報の一部または全体を撮影し、それらのプレビュー映像情報を取得すると共に、当該プレビュー映像情報を前記情報処理装置に送信するプレビュー映像情報送信手段を備え、前記情報処理装置の特定手段が、前記送信されたプレビュー映像情報が前記ディスプレイに出力表示された前記情報の表示領域内のどの部分と一致するのかを特定するプレビュー映像特定機能を有すると共に、前記特定された部分にインジケータを出力表示する領域インジケータ出力表示手段を前記特定手段に併設したことを特徴とする情報選択取得システム。
【請求項５】
ディスプレイに接続され予めデータ記憶部に記憶されたテキスト情報や画像情報を前記ディスプレイに出力表示すると共に、前記ディスプレイに出力表示された前記情報の一部または全体を撮影するカメラ撮影手段を備えた携帯端末装置との間で相互に通信を行う情報処理装置であって、
前記ディスプレイに出力表示された前記情報の表示領域内で前記携帯端末装置から送り込まれた画像データと一致する情報表示領域を特定する特定手段と、前記ディスプレイに出力表示された前記情報の表示領域から前記特定された情報表示領域を切出し、この切り出された情報表示領域内に出力表示されている情報に対応したテキスト情報や画像情報を前記データ記憶部から読み出して領域選択情報として前記携帯端末装置に送信する作成送信手段とを備えたことを特徴とする情報処理装置。
【請求項６】
前記請求項５に記載の情報処理装置において、
前記作成送信手段が、前記作成された領域選択情報を、前記携帯端末装置に送信するのに先立って変換・加工する変換加工機能を備えたことを特徴とする情報処理装置。
【請求項７】
前記請求項５又は６に記載の情報処理装置において、
前記領域選択情報を作成する際に前記切出された情報表示領域内に出力表示されている情報に対応する情報が、画像情報、テキスト情報、又は画像及びテキストを有する情報の何れかであることを判定する判定手段を備えると共に、前記作成送信手段が、前記切出された情報表示領域内の情報が画像情報またはテキスト情報のみであると判定された場合に当該画像情報またはテキスト情報のみを読み出して領域選択情報を作成し、又、前記切出された表示領域内の情報が画像情報及びテキスト情報を有する情報であると判定された場合に当該画像情報及びテキスト情報のそれぞれを読み出して元の情報表示領域内と同じ画面構成の領域選択情報を作成する機能を備えたことを特徴とする情報処理装置。
【請求項８】
前記請求項５乃至７の何れか１つに記載の情報処理装置において、
前記特定手段が、前記ディスプレイに出力表示された前記情報の一部または全体が撮影されたプレビュー映像情報を取得し前記情報の表示領域内のどの部分と一致するのかを特定するプレビュー映像特定機能を有すると共に、前記特定された部分にインジケータを出力表示する領域インジケータ出力表示手段を前記特定手段に併設したことを特徴とする情報処理装置。
【請求項９】
予めデータ記憶部に記憶されたテキスト情報や画像情報をディスプレイに出力表示する情報処理装置と、カメラ撮影手段を有し前記情報処理装置との相互通信を行う携帯端末装置とを備えた情報選択取得システムにあって、前記携帯端末装置が前記情報の一部または全体を取得する情報選択取得方法において、
前記ディスプレイに出力表示された情報をカメラ撮影すると共に当該撮影により生成された撮影画像情報を前記情報処理装置に転送する撮影転送工程と、当該撮影画像情報に一致する前記情報内の情報領域を特定する撮影領域特定工程と、前記特定された情報領域に出力表示されている情報に対応したテキスト情報や画像情報を前記データ記憶部から読み出して領域選択情報とする領域選択情報生成工程と、前記生成された領域選択情報を前記携帯端末装置に転送する領域選択情報転送工程とを備えたことを特徴とする情報選択取得方法。
【請求項１０】
予めデータ記憶部に記憶されたテキスト情報や画像情報をディスプレイに出力表示する情報処理装置と、カメラ撮影手段を有し前記情報処理装置との相互通信を行う携帯端末装置とを備え、前記携帯端末装置が前記情報の一部または全部を取得するための情報選択取得プログラムにおいて、
前記出力表示された情報の一部又は全体を前記カメラ撮影手段により撮影生成された撮影画像情報を取得する撮影画像情報取得機能、前記ディスプレイに出力表示された情報内で前記撮影画像情報に一致する情報領域を特定する撮影領域特定機能、前記特定された情報領域に出力表示されている情報に対応したテキスト情報や画像情報を前記データ記憶部から読み出して領域選択情報とする領域選択情報生成機能、前記生成された領域選択情報を前記携帯端末装置に転送する領域選択情報転送機能、を前記情報処理端末に設けられたコンピュータに実行させることを特徴とした情報選択取得プログラム。
【発明の詳細な説明】
【技術分野】
【０００１】
本発明は、情報処理装置に記憶された情報の一部又は全体を指定すると共に指定された情報を取得する情報選択取得システム、情報選択取得方法、および情報選択取得プログラムに関する。
【背景技術】
【０００２】
携帯端末装置のユーザが、パーソナルコンピュータ(以下「ＰＣ」という)等に記憶されたデータを携帯端末装置で取得する場合、所望するデータをファイル単位で指定し取得するのが一般的である。
ここで、例えば、ＰＣに格納されている画像データやテキストデータなどのファイルデータの一部を取得したい場合には、予めファイルデータの加工や編集を行い、必要なデータ部分だけを抜き出したファイルデータを準備する必要があった。
【０００３】
又、例えば、ＰＣに記憶されたファイルデータが、HTMLファイルなどのマークアップ言語により記述されたファイルデータである場合に、ディスプレイに出力表示されたファイルデータの一部を切出し加工したファイルデータを生成すると共に、このファイルデータを携帯端末装置で取得し、携帯端末装置上で表示すると、表示された画面構成が元の出力表示画面の構成と変わってしまうという場合が生じ得る。
【０００４】
これに対して、ファイルデータの画面構成を変更することなく、ファイルデータ内容の一部を切出し取得する手法として、ディスプレイに出力表示された情報の画面(以下「出力表示情報」という)を携帯端末装置に内蔵されたカメラで直接撮影することにより、上記ファイルデータ内容の一部を撮影画像として取得する手法が考えられる。
【０００５】
又、上記手法の関連技術としてディスプレイの画面の一部をビデオカメラで撮影することにより、撮影されたディスプレイの画面領域をコンテンツ表示領域に指定すると共に、当該指定されたコンテンツ表示領域に予め設定された映像コンテンツを表示する手法が開示されている(特許文献１)。
【０００６】
【特許文献１】特開２００５−２４２６０３号公報
【発明の開示】
【発明が解決しようとする課題】
【０００７】
しかしながら、上述のように、ディスプレイ画面を直接撮影することにより表示されたファイルデータのデータ内容を取得した場合は、ディスプレイに表示されたファイルデータ内容を光学的に取り込むことになるため、元のファイルデータと同じ品質でデータを取得することはできず、特に取得されたデータの画質に劣化が生じるのを回避するのは困難である。
【０００８】
又、カメラ撮影時に、ピントが合っていなかったり手振れが生じたりすることで、携帯端末装置側で取り込んだ画像情報から、元のファイルデータの内容が判別できないといった不都合が生じ得る。
更に、この場合、ディスプレイに出力表示された内容を画像情報として取り込むことになるため、ディスプレイに出力表示された内容がテキストデータであったとしても、当該テキストデータを画像データとして取り込むこととなり、取り込まれた画像データは、元ファイルデータのテキスト情報に比して非常に大きなデータとなってしまうという不都合が生じる。
【０００９】
又、HTMLなどのマークアップ言語により記述されたファイルデータの表示画面からその一部を、その構成を崩すことなく携帯端末装置で取り込むのは、新たに生成されるファイルの加工および編集が非常に困難であり、必要な部分を抜き出したファイルデータを作成し表示するのに大きな負担が生じるという不都合がある。
【００１０】
又、上記特許文献１に開示された手法は、ディスプレイに映像コンテンツを出力表示する領域を効果的に指定するための手法であって、この手法によりＰＣ内に記憶された情報およびその一部を取得することはできない。
【００１１】
［発明の目的］
本発明は、上記関連技術の有する不都合を改善し、ユーザの所望するデータを簡易に選択指定し当該選択指定されたデータを効率的に取得し得る情報選択取得システム、情報処理装置、情報選択取得方法、および情報選択取得プログラムを提供することを、その目的とする。
【課題を解決するための手段】
【００１２】
上記目的を達成するために、本発明に係る情報選択取得システムは、ディスプレイに接続されデータ記憶部に予め記憶されたテキスト情報や画像情報を前記ディスプレイに出力表示する情報処理装置と、前記ディスプレイに出力表示された前記情報の一部または全体を撮影するカメラ撮影手段を有すると共に前記カメラ撮影手段により撮影された前記情報の一部又は全体の画像データを前記情報処理装置に送信する携帯端末装置とを備える情報選択取得システムであって、前記情報処理装置が、前記ディスプレイに出力表示された前記情報の表示領域内で前記携帯端末装置から送り込まれた前記画像データと一致する情報表示領域を特定する特定手段と、前記ディスプレイに出力表示された前記情報の表示領域から前記特定された情報表示領域を切出し、この切り出された情報表示領域内に出力表示されている情報に対応したテキスト情報や画像情報を前記データ記憶部から読み出して領域選択情報として前記携帯端末装置に送信する作成送信手段とを備えた構成をとっている。
【００１３】
又、本発明にかかる情報処理装置は、ディスプレイに接続され予めデータ記憶部に記憶されたテキスト情報や画像情報を前記ディスプレイに出力表示すると共に、前記ディスプレイに出力表示された前記情報の一部または全体を撮影するカメラ撮影手段を備えた携帯端末装置との間で相互に通信を行う情報処理装置であって、前記ディスプレイに出力表示された前記情報の表示領域内で前記携帯端末装置から送り込まれた画像データと一致する情報表示領域を特定する特定手段と、前記ディスプレイに出力表示された前記情報の表示領域から前記特定された情報表示領域を切出し、この切り出された情報表示領域内に出力表示されている情報に対応したテキスト情報や画像情報を前記データ記憶部から読み出して領域選択情報として前記携帯端末装置に送信する作成送信手段とを備えたことを特徴としている。
【００１４】
又、本発明にかかる情報選択取得方法は、予めデータ記憶部に記憶されたテキスト情報や画像情報をディスプレイに出力表示する情報処理装置と、カメラ撮影手段を有し前記情報処理装置との相互通信を行う携帯端末装置とを備えた情報選択取得システムにあって、前記携帯端末装置が前記情報の一部または全体を取得する情報選択取得方法において、前記ディスプレイに出力表示された情報をカメラ撮影すると共に当該撮影により生成された撮影画像情報を前記情報処理装置に転送する撮影転送工程と、当該撮影画像情報に一致する前記情報内の情報領域を特定する撮影領域特定工程と、前記特定された情報領域に出力表示されている情報に対応したテキスト情報や画像情報を前記データ記憶部から読み出して領域選択情報とする領域選択情報生成工程と、前記生成された領域選択情報を前記携帯端末装置に転送する領域選択情報転送工程とを備えたことを特徴とする。
【００１５】
更に、本発明にかかる情報選択取得プログラムは、予めデータ記憶部に記憶されたテキスト情報や画像情報をディスプレイに出力表示する情報処理装置と、カメラ撮影手段を有し前記情報処理装置との相互通信を行う携帯端末装置とを備え、前記携帯端末装置が前記情報の一部または全部を取得するための情報選択取得プログラムにおいて、前記出力表示された情報をカメラ撮影することにより生成された撮影画像情報を取得する撮影画像情報取得機能、前記ディスプレイに出力表示された情報内で前記撮影画像情報に一致する情報領域を特定する撮影領域特定機能、前記特定された情報領域に出力表示されている情報に対応したテキスト情報や画像情報を前記データ記憶部から読み出して領域選択情報とする領域選択情報生成機能、前記生成された領域選択情報を前記携帯端末装置に転送する領域選択情報転送機能、を前記情報処理端末に設けられたコンピュータに実行させることを特徴としている。
【発明の効果】
【００１６】
本発明は、以上のように構成され機能するので、ディスプレイに出力表示された情報の一部又は全体を簡易に選択指定でき、且つ当該選択指定されたデータ内容を元の情報における相当部分と同等のデータ品質およびデータ構成で取得することができる。
【発明を実施するための最良の形態】
【００１７】
［実施形態］
本発明の実施形態は、図1に示すように、カメラ手段１９を内蔵した携帯端末装置1と、この携帯端末装置１に信号線Ｄ１を介して接続された情報処理装置(以下「ＰＣ」という)２と、このＰＣ２に信号線Ｄ２を介して接続され、予めＰＣ２に記憶された情報の出力表示を行うディスプレイ装置(ディスプレイ)３を備えた構成となっている。
【００１８】
ここで、上記信号線Ｄ１は、例えばＵＳＢやBlueToothのような携帯端末1とＰＣ２との間を相互接続し通信が行われるデータ伝送路である。また、上記信号線Ｄ２も、ＰＣ２とディスプレイ３との間を相互に接続してデータ通信が行われるデータ伝送路である。又、上記ディスプレイ３がＰＣ２に内蔵された構成であってもよい。
【００１９】
又、上記ＰＣ２は、上記移動端末１との間で信号線Ｄ１を介して相互通信を行う通信インタフェース部２３と、この通信インタフェース部２３を制御すると共に情報処理装置２における通信および情報処理動作を制御する中央演算部２１と、この中央演算部２１に接続され予め設定された情報(ファイル情報)を記憶するデータ記憶部データ記憶部２２とを有する構成である。
【００２０】
更に、上記中央演算部２１は、移動端末装置１から送り込まれた情報(画像データ)に基づきディスプレイ装置３に出力表示された情報における指定領域(情報表示領域)を特定する画像領域特定手段２１１(特定手段)と、上記特定された情報表示領域を切出した領域選択情報を生成する領域選択情報生成手段２１２(作成送信手段)と、上記画像領域特定手段２１１とディスプレイ装置３とを中継接続すると共にデータ記憶部２２に格納されたファイル情報をディスプレイ装置３に出力表示する画像出力表示制御手段２１３とを備えた構成となっている。
【００２１】
以下、これを詳述する。
画像領域特定手段２１１は、携帯端末装置１から送り込まれた撮影画像情報を受信すると共に、この撮影画像情報とディスプレイ装置３に出力表示されたファイル情報(以下「出力表示情報」という)とを比較して、一致する情報領域(情報表示領域)を特定する撮影領域特定機能を有する。
又、画像領域特定手段２１１は、出力表示情報内に撮影画像情報と一致する情報領域が見つからない場合に、前記撮影画像情報とデータ記憶部２２に格納された各情報(ファイル情報)とを比較して一致する情報領域を特定する機能を備えてもよい。
これにより、ディスプレイ装置３に表示される情報(出力表示情報)が他の情報に切り替わった場合であっても、携帯端末装置１で撮影された時点でディスプレイに表示された情報(出力表示情報)をデータ記憶部２２から見つけることができ、ユーザにより指定された情報領域を特定することができる。
【００２２】
領域選択情報生成手段２１２は、出力表示情報内で特定された情報表示領域を前記ファイル情報から切出すと共に、切出された情報表示領域からなる領域選択情報を生成する領域選択情報生成機能を有する。
又、領域選択情報生成手段２１２は、上記ファイル情報から切り出された情報に画像情報、テキスト情報、又は画像情報とテキスト情報とを両方を含むかを判定する情報種別判定機能(判定手段に相当)と、前記判定に基づいて、対応するファイル情報から画像情報、テキスト情報を抽出し、ディスプレイ３に表示された表示構成を維持した領域選択情報を生成する機能を備えている。
【００２３】
更に、領域選択情報生成手段２１２は、生成された領域選択情報を、通信インタフェース部２３を介して移動端末装置１に送信する領域選択情報転送機能を備えている。
尚、領域選択情報生成手段２１２は、特定された情報表示領域(指定領域)がひとつのファイル情報全体である場合、つまり、撮影画像がひとつのファイル情報全てを含む場合、領域選択情報生成手段２１２は、上記情報表示領域の切出しを行うことなく、対応するファイル情報を携帯端末装置１に送信する。
【００２４】
又、領域選択情報生成手段２１２は、領域選択情報転送機能を実行するのに先立ち、生成された領域選択情報を、変換・加工する変換加工機能を備えている。
これにより、領域選択情報生成手段２１２は、生成された領域選択情報を、送信先である移動端末装置１に応じた形式に変換または加工することができる。
【００２５】
画像出力表示制御手段２１３は、予めデータ記憶部２２に記憶されたファイル情報をディスプレイ装置３の画面に出力表示するファイル情報出力実行機能と、ディスプレイ装置３におけるファイル情報の出力表示を制御する出力表示制御機能とを有する。
又、画像領域特定手段２１１が撮影領域特定機能を実行するにあたって、ディスプレイ装置３に出力表示されたファイル情報(出力表示画像)を画像領域特定手段２１１に転送する出力表示画像転送機能を備えている。
【００２６】
次に、移動端末装置１の構成について説明する。
移動端末装置１は、図２に示すように、ユーザが入力を行うボタン１８と、ボタン１８の押下状態を取得するボタン入力インタフェース１１と、このボタン入力インタフェース１１から送り込まれる入力信号、および移動端末装置１内における情報及び信号の通信が行われるバス１６を備えている。
また、通信バス１６に接続され移動端末装置１内の情報処理動作を制御する中央演算処理部(以下「ＣＰＵ」という)１０と、バス１６を介してＣＰＵ１０に接続されＣＰＵ１０の情報演算処理を実行するための各種制御用プログラムを備えたＲＯＭ(Read only memory)１３と、バス１６を介して送り込まれた情報及び信号を受信し一時的に格納するＲＡＭ(Random Access Memory)１４を有する。
【００２７】
更に、移動端末装置１は、レンズを介して映像情報を取り込むと共に当該映像情報をバス１６を介してＲＡＭ１４に格納するカメラモジュール１５と、このカメラモジュール１５を介して取り込まれた映像をプレビュー画面として出力表示するLCDモジュール１７と、バス１６および信号線Ｄ１を中継接続する外部通信インタフェース１２とを備えた構成となっている。
尚、上記カメラモジュール１５およびＬＣＤモジュール１７により上記カメラ手段１９を構成している。
【００２８】
以下、これを詳述する。
中央演算処理部１０は、バス１６を介して移動端末装置１内の周辺回路およびカメラ手段１９、及びメモリに接続され、それらの動作を制御する中央演算処理機能を備えている。
又、中央演算処理部１０は、カメラモジュール１５を介して取り込まれた映像から生成される撮影画像情報をＰＣ２に送信する撮影画像送信機能と、外部通信インタフェース１２を介して行われる通信制御機能を備えている。
【００２９】
外部通信インタフェース１２は、外部機器と信号のやり取りを行なう信号線Ｄ１に接続されたインタフェース部であって、移動端末装置１がＰＣ２との間で相互に行う通信を実行する通信実行機能を備えている。
ＲＡＭ１４は、ランダム・アクセス・メモリによって構成されており、中央演算処理部１０がプログラムを実行する際に一時的に必要とされるデータ、カメラモジュール１５が撮影した撮影映像および撮影画像、およびＰＣ２から送り込まれた領域選択情報を格納する選択情報取得機能を有する。
【００３０】
カメラモジュール１５は、レンズや絞りなどの工学ユニット、光を電気信号に変換するCCDやCMOSなどの撮像素子、シャッターなどの機構部、およびコントローラを含み構成され、レンズを介して映像情報を取り込む映像情報取得機能と、取り込まれた映像情報から撮影画像を生成する撮影画像生成機能とを有する。尚、カメラモジュール１５で撮影するときのシャッターボタンはボタン18に含まれる。
バス１６は、当該バス１６に接続された回路およびユニットが相互に行う通信の通信伝送路である。
【００３１】
ＬＣＤモジュール１７は、移動端末装置１に予め設けられた液晶表示部を含み構成され、カメラモジュール１５を介して取り込まれた映像情報を出力表示する映像表示機能を備えている。ここで、このＬＣＤモジュール１７に出力表示された映像情報は、カメラ撮影に際し、カメラモジュール１５から取り込まれた後、撮影映像データバス１６を介して一度ＲＡＭ１４に格納され、再びバス１６を介してLCDモジュール１７に送りこまれた映像情報である。
【００３２】
ボタン１８およびボタン入力インタフェース１１は、移動端末装置１ユーザによるボタン１８の押下状態を取得して、ボタン入力インタフェース１１から送り込まれる入力信号を中央演算処理部１０に通知するマンマシンインタフェース入力回路を構成している。
【００３３】
移動端末装置１は、上述のような構成をとることにより、ユーザが、移動端末装置１に内蔵されたカメラ手段１９で、出力表示画像における取り込みたい部分(情報領域)を撮影し、撮影画像を転送することにより、ユーザが取り込みたい情報領域(指定領域)を情報処理装置２に対して指定することができる。
【００３４】
［実施形態の動作説明］
次に、上記実施形態における情報選択取得システムの動作について説明する。
【００３５】
先ず、移動端末装置１が、ディスプレイ装置３に出力表示された情報(出力表示情報)をカメラ撮影すると共に当該カメラ撮影により生成された撮影画像情報を情報処理装置２に転送し(撮影転送工程)、次いで、情報処理装置２は、前記撮影画像情報に対応した、前記出力表示情報内の対応領域を特定する(撮影領域特定工程)と共に、前記特定された領域の情報から成る領域選択情報を生成し(領域選択情報生成工程)、生成された領域選択情報を携帯端末装置１に転送する(領域選択情報転送工程)。最後に、移動端末装置１が情報処理装置２から送り込まれた特定領域画像情報を取得する。
【００３６】
ここで、上記撮影領域特定工程、領域選択情報生成工程、および領域選択情報転送工程については、その実行内容をプログラム化し、コンピュータに実行させるように構成してもよい。
又、情報処理装置２は、カメラ手段１９によってディスプレイ装置３に出力表示されたファイル情報の一部又は全体を撮影生成された撮影画像情報を取得する撮影画像情報取得機能を有し、その実行内容をプログラム化し、情報処理装置２の有するコンピュータに実行させるように構成してもよい。
【００３７】
次に、上記実施形態の情報選択取得システムの動作を、図３のシーケンスチャートに基づいて説明する。
【００３８】
ディスプレイ装置３にＰＣ２のデータ記憶部２２に格納されたファイル情報が表示されている(ステップＳ１０１)。ここで、携帯端末装置１ユーザが、携帯端末装置１に内蔵されたカメラ手段１９を用いてディスプレイ３に出力されたファイル情報(出力表示情報)の画面のうち取得したい部分を撮影する(ステップＳ１０２)。これにより、ユーザは上記ファイル情報のうちの取得したい領域を指定することができる
【００３９】
次いで、携帯端末装置１は、上記カメラ撮影により生成された撮影画像情報を、信号線Ｄ１を介してＰＣ２へ転送する(ステップＳ１０３)。次いで、ＰＣ２は、受信した撮影画像情報に基づいて、前記出力表示されたファイル情報内でユーザが指定した部分がファイル情報内のどの領域(部分)であるかを特定する(ステップＳ１０４)。
ここで、ＰＣ２は、上記撮影画像情報がファイル情報のこの領域を撮影したものであるかを、つまり撮影画像情報と共通の情報領域を特定する。
【００４０】
次に、予め格納されたファイル情報から特定された領域を切出した領域選択情報を生成する(ステップＳ１０５)と共に、信号線Ｄ１を介して生成された領域選択情報を携帯端末装置１に転送する(ステップＳ１０６)。携帯端末装置１は、この領域選択情報を受信し、ＲＡＭに格納する(ステップＳ１０７)。これにより、ユーザは上述のように、カメラ撮影により、ディスプレイ画面上における取得したい情報領域を指定し、指定した領域が切出された情報(領域選択情報)を取得することができる。
【００４１】
次に、情報処理装置２の中央演算部２１の動作を、図４(Ａ)および(Ｂ)のフローチャートに基づき説明する。つまり、ここでは、上記ステップＳ１０４〜Ｓ１０６に示された処理ステップに該当する中央演算部２１の動作について詳細に説明する。
【００４２】
先ず、中央演算部２１の画像領域特定手段２１１に携帯端末装置１から撮影画像が送り込まれる(ステップＳ２０１)。画像領域特定手段２１１は、この撮影画像を受信すると共に、撮影領域特定機能を実行することにより、出力表示情報における撮影画像情報との一致領域(以下「特定情報領域」という)を特定する(ステップＳ２０２)。次いで、領域選択情報生成手段２１２が、この特定情報領域が画像情報により構成されるか、文字情報(テキスト情報)により構成されるか、又は画像及び文字情報を含んで構成されるかを判定する(ステップＳ２０３)。
【００４３】
ここで、特定情報領域に画像情報と文字情報とがどちらも含まれる場合、特定情報領域が、ひとつのファイル情報の全体であるか否かを判定する(ステップＳ２０４)。
ここで、特定情報領域が、ひとつのファイル情報全体である(を含む)場合、当該ファイル情報を領域選択情報として移動端末装置１に転送する(ステップＳ２０９)
【００４４】
一方、特定情報領域が、ファイル情報の一部である場合には、ファイル情報から特定情報領域を切出す(ステップＳ２０５)と共に、元のファイル情報から特定情報領域内のテキスト情報を抽出し(ステップＳ２０６)、次いで、元のファイル情報から特定情報領域内の画像情報を抽出する(ステップＳ２０７)。次いで、領域選択情報生成手段２１２が、特定情報領域の画像構成に基づく領域選択情報を生成し(ステップＳ２０８)、移動端末装置１に転送する(ステップＳ２０９)。
【００４５】
一方、ステップＳ２０３で、特定情報領域に画像情報と文字情報のどちらかが含まれると判定された場合［図４(Ｂ)］、領域選択情報生成手段２１２は、この特定情報領域が画像情報により構成されるか否か(画像情報が含まれるか)を判定する(ステップＳ２１０)。
ここで、特定情報領域が画像情報により構成される場合、特定情報領域はファイル情報の全体であるか否かを判定する(ステップＳ２１１)。
ここで、特定情報領域の領域がファイル情報の全体である場合には、元のファイル情報を領域選択情報として移動端末装置１に転送する(ステップＳ２１９)。
【００４６】
一方、特定情報領域が、ファイル情報の一部である場合には、ファイル情報から特定情報領域を切出す(ステップＳ２１２)と共に、元のファイル情報から特定情報領域内の画像情報を抽出する(ステップＳ２１３)。次いで、領域選択情報生成手段２１２は、特定情報領域の画像構成に基づいて、画像情報から成る領域選択情報を生成し(ステップＳ２１４)、移動端末装置１に転送する(ステップＳ２１９)。
【００４７】
又、ステップＳ２１０において特定情報領域に画像情報が含まれない、つまり特定情報領域が文字情報により構成される場合、特定情報領域の領域はファイル情報の全体であるか否かを判定する(ステップＳ２１５)。
ここで、特定情報領域の領域がファイル情報の全体である場合には、元のファイル情報を領域選択情報として移動端末装置１に転送する(ステップＳ２１９)。
【００４８】
一方、特定情報領域が、ファイル情報の一部である場合には、ファイル情報から特定情報領域を切出す(ステップＳ２１６)と共に、元のファイル情報から特定情報領域内の画像情報を抽出する(ステップＳ２１７)。次いで、領域選択情報生成手段２１２は、特定情報領域の画像構成に基づいて、テキスト情報からなる領域選択情報を作成し(ステップＳ２１８)、移動端末装置１に転送する(ステップＳ２１９)。
【００４９】
［変形例］
次に、この変形例では、前述した実施形態における構成要素の一部に、下記に示す追加機能を付加したものである。
【００５０】
まず、携帯端末装置１の中央演算処理部１０は、ユーザが携帯端末装置1を用いて取り込みたい範囲を指定するのに際して、カメラ撮影を行うにあたりＬＣＤモジュール１７に表示されるプレビュー映像を情報処理装置(ＰＣ)２に転送するプレビュー映像送信機能を有してもよい。
【００５１】
又、ＰＣ２の画像出力表示制御手段２１３は、ディスプレイ装置３に表示されたファイル情報の画面(以下「出力表示情報」という)上で、上記情報端末装置１から送り込まれたプレビュー映像情報に一致する領域にインジケータを出力表示する領域インジケータ出力機能(インジケータ出力表示手段に相当)を備えてもよい。
その他の構成は、前述した実施形態と同一となっている。
【００５２】
尚、このカメラモジュール１５での映像取り込みからＬＣＤモジュール１７への映像データの出力表示およびＰＣ２への映像転送は連続して行なわれる。
更に、ＰＣ２は、送られた映像データに基づき、ディスプレイ装置３に表示されている内容(出力表示情報)に対し、ユーザがどの領域を選択指定しているか、つまり、カメラ手段により撮影しているかを算出し、ディスプレイ装置３の画面上における該当領域に選択指定している領域、つまりユーザがカメラ手段１９で撮影している領域を示すインジケータを表示する。
【００５３】
これにより、ユーザは、取り込みたい範囲を撮影するにあたり、ディスプレイ装置３の画面上ファイル情報(出力表示情報)に重なってインジケータが表示されるため、所望する情報領域を、容易に選択指定することができる。
このため、ユーザは、インジケータが自分の所望する画像データやテキストデータを取り囲むようにカメラのレンズの向きを調整、適切なところでボタン１８を押下することができる。
【００５４】
又、前記プレビュー映像送信機能の起動を指示するボタン１８の押下により、ボタン入力インタフェース１１およびバス１６を介して中央演算処理部１０にプレビュー映像送信機能の起動指示が通知され、起動指示を受けた中央演算処理部１０は、外部通信インタフェース信号１２を介してＰＣ２の中央演算部２１に領域インジケータ出力機能の起動要求を通知する構成としてもよい。
これにより、上記起動要求を受けた画像出力表示制御手段２１３は、インジケータの表示を行い、特定領域の指定指示を受けた画像領域特定手段２１１は、そのときのインジケータの範囲内の領域を特定情報領域として設定することにより、上記実施形態と同様にして領域選択情報を生成して携帯端末装置１に転送することができる。
【００５５】
以上のように、本発明では、ユーザがファイル情報内で取得したい領域を、カメラ撮影を行うことにより指定し、この指定領域からなる領域選択情報を携帯端末装置１で取得することができる。
【００５６】
このため、画像データやテキストデータを含むファイル情報から、ユーザが必要とする部分だけを切り出して携帯端末装置に持ってくるので、データ(ファイル情報)をそのまま転送するのに比べてデータ容量を小さくすることができる。
又、ディスプレイ３の画面上に表示されている内容のうち、携帯端末装置に持ってきたい部分を内蔵しているカメラで撮影するという簡単な方法で選択するため、ユーザの操作を簡便にできる。
【００５７】
更に、メモリなどの媒体を介すことなく、元データを保持する情報処理装置とそのデータの取り込み先である携帯端末装置を有線または無線で接続しておくことにより実現できるため、簡易に構成することができる。
又、ディスプレイ３上に表示されている内容のうちユーザが必要とする範囲を撮影するだけで、ユーザが必要とする部分だけを切り出して携帯端末装置に転送してくれるので、ユーザがデータを加工する手間を省くことができる。
【産業上の利用可能性】
【００５８】
本発明は、カメラ撮影手段を有する情報端末相互間におけるデータ通信サービスに応用することができる。
【図面の簡単な説明】
【００５９】
【図１】本発明による情報選択取得システムの一実施例の全体を示す概略構成図である。
【図２】図１に開示した情報選択取得システムにおける携帯端末装置の概略構成を示すブロック図である。
【図３】図１に開示した情報選択取得システムにおける動作処理ステップを示したシーケンスチャートである。
【図４（Ａ）】図１に開示した情報選択取得システムの情報処理装置における動作処理ステップを示したフローチャートである。
【図４（Ｂ）】図１に開示した情報選択取得システムの情報処理装置における動作処理ステップを示したフローチャートである。
【符号の説明】
【００６０】
１  携帯端末装置
２  情報処理装置
３  ディスプレイ装置
１０  中央演算処理部
１１  ボタン入力インタフェース
１２  外部通信インタフェース
１３  ＲＯＭ
１４  ＲＡＭ
１５  カメラモジュール
１６  バスモジュール
１７  ＬＣＤモジュール
１８  ボタン
１９  カメラ手段
２１  中央演算部
２２  データ記憶部
２３  通信インタフェース部
２１１  画像領域特定手段
２１２  領域選択情報生成手段
２１３  画像出力表示制御手段
【図１】
0004978415.tif 000002
【図２】
0004978415.tif 000003
【図３】
0004978415.tif 000004
【図４（Ａ）】
0004978415.tif 000005
【図４（Ｂ）】
0004978415.tif 000006